(57)【要約】【課題】記録装置と印刷装置とが分離した形態を維持しつつ、簡便にディスクの内容と一致したラベルを印刷可能とする。【解決手段】記録媒体にデータの記録を行う記録装置と接続可能な印刷装置であって、前記記録装置と接続されている場合に、記録媒体に記録可能なデータに関する属性情報を該記録装置より取得する取得手段と、前記記録媒体の印刷可能領域に、前記属性情報を利用した印刷を行う印刷手段と、前記記録媒体から、該記録媒体を個体識別可能な識別子を読み取る読取手段と、前記属性情報と、前記識別子とを対応づけて管理する管理手段とを備える。【選択図】  図１
2011096359.tif 000002
【特許請求の範囲】
【請求項１】
記録媒体にデータの記録を行う記録装置と接続可能な印刷装置であって、
前記記録装置と接続されている場合に、記録媒体に記録可能なデータに関する属性情報を該記録装置より取得する取得手段と、
前記記録媒体の印刷可能領域に、前記属性情報を利用した印刷を行う印刷手段と、
前記記録媒体から、該記録媒体を個体識別可能な識別子を読み取る読取手段と、
前記属性情報と、前記識別子とを対応づけて管理する管理手段と
を備えることを特徴とする印刷装置。
【請求項２】
前記記録装置より、前記管理手段において第１の識別子と対応づけて管理されている第１の属性情報の送信要求を受け付ける要求受付手段と、
前記管理手段における前記第１の属性情報の有無を判定する判定手段と、
前記判定手段により前記第１の属性情報があると判定された場合に、該第１の属性情報を前記記録装置に送信する送信手段と
を更に備えることを特徴とする請求項１に記載の印刷装置。
【請求項３】
前記送信手段は、前記判定手段により前記第１の属性情報がないと判定された場合には、該第１の属性情報がない旨の通知を前記記録装置に送信することを特徴とする請求項２に記載の印刷装置。
【請求項４】
前記読取手段は、前記記録媒体が前記識別子を有するか否かを判定する識別子有無判定手段を備え、
前記識別子有無判定手段により前記記録媒体が前記識別子を有しないと判定された場合に、前記印刷手段は該識別子を前記記録媒体に印刷することを特徴とする請求項１乃至３のいずれかに記載の印刷装置。
【請求項５】
前記印刷手段は、
印刷用のテンプレートデータを格納する格納手段と、
前記テンプレートデータと、前記属性情報とを利用して印刷用データを生成するデータ生成手段とを備え、
前記印刷用データにより前記印刷可能領域への印刷を行うことを特徴とする請求項１乃至４のいずれかに記載の印刷装置。
【請求項６】
記録媒体の印刷可能領域に印刷を行う印刷装置と接続可能な、該記録媒体にデータの記録を行う記録装置であって、
データを格納するデータ格納手段と、
前記印刷装置が接続されている場合に、該印刷装置から記録媒体に記録するデータに関する属性情報の送信要求を受け付ける送信要求受付手段と、
前記送信要求に応じて、前記データ格納手段内に格納された、前記記録媒体に記録可能なデータを探索する探索手段と、
前記探索手段により探索された前記記録可能なデータに関する属性情報を、前記印刷装置に送信する送信手段と、
を備えることを特徴とする記録装置。
【請求項７】
前記探索手段は、前記データ格納手段に格納されたデータを前記記録可能なデータとすることを特徴とする請求項６に記載の記録装置。
【請求項８】
前記探索手段は、前記データ格納手段に格納されたデータの中でユーザから選択を受け付けたデータを、前記記録可能なデータとすることを特徴とする請求項６に記載の記録装置。
【請求項９】
前記探索手段は、前記データ格納手段に格納されたデータの中で所定の条件を満たすデータを、前記記録可能なデータとすることを特徴とする請求項６に記載の記録装置。
【請求項１０】
接続された前記印刷装置において、記録媒体に記録可能なデータに関する属性情報と、前記記録媒体に与えられ該記録媒体を個体識別可能な識別子とが対応づけて管理されている場合に、
前記記録装置は更に、
記録媒体から第１の識別子を読み取る読取手段と、
前記第１の識別子と対応づけられて管理されている第１の属性情報の送信を、前記印刷装置に対して要求する送信要求手段と、
前記印刷装置より、前記要求に応じて前記第１の属性情報を受信した場合に、前記データ格納手段に格納されたデータのうち、受信した前記第１の属性情報に対応するデータを取得する取得手段と、
取得された前記データを前記記録媒体に記録する記録手段と
を備えることを特徴とする請求項６乃至９のいずれかに記載の記録装置。
【請求項１１】
前記印刷装置より、前記第１の識別子に対応する前記第１の属性情報が管理されていない旨の通知を受信した場合に、
前記記録手段は、前記データ格納手段に格納されたデータの中で、ユーザから選択を受け付けたデータを前記記録媒体に記録することを特徴とする請求項１０に記載の記録装置。
【請求項１２】
前記データ格納手段は、前記記録装置と接続されたカムコーダであることを特徴とする請求項６乃至１１のいずれかに記載の記録装置。
【請求項１３】
前記読取手段は、ユーザからのデータ記録の開始指示に応じて、前記記録媒体から前記識別子を読み取ることを特徴とする請求項１０乃至１２のいずれかに記載の記録装置。
【請求項１４】
前記記録媒体の前記記録装置における装填を検知する検知手段を更に備え、
前記読取手段は、前記検知手段による装填の検知に応じて、前記記録媒体から前記識別子を読み取ることを特徴とする請求項１０乃至１２のいずれかに記載の記録装置。
【請求項１５】
前記記録媒体はディスク状記録媒体であることを特徴とする請求項１乃至１４のいずれかに記載の装置。
【請求項１６】
前記属性情報には、少なくともデータ名、データ種別、データ生成日時、撮影日時、撮影モード、シーン抽出画像及びＥＰＧデータのいずれかが含まれることを特徴とする請求項１乃至１５のいずれかに記載の装置。
【請求項１７】
記録媒体にデータの記録を行う記録装置と接続可能な印刷装置の制御方法であって、
前記印刷装置が前記記録装置と接続されている場合に、記録媒体に記録可能なデータに関する属性情報を該記録装置より取得する取得工程と、
前記記録媒体の印刷可能領域に、前記属性情報を利用した印刷を行う印刷工程と、
前記記録媒体から、該記録媒体を個体識別可能な識別子を読み取る読取工程と、
前記属性情報と、前記識別子とを対応づけて管理する管理工程と
を備えることを特徴とする印刷装置の制御方法。
【請求項１８】
記録媒体の印刷可能領域に印刷を行う印刷装置と接続可能な、該記録媒体にデータの記録を行う記録装置の制御方法であって、
前記記録装置に前記印刷装置が接続されている場合に、該印刷装置から記録媒体に記録するデータに関する属性情報の送信要求を受け付ける送信要求受付工程と、
前記送信要求に応じて、データを格納するデータ格納部内に格納された、前記記録媒体に記録可能なデータを探索する探索工程と、
前記探索工程において探索された前記記録可能なデータに関する属性情報を、前記印刷装置に送信する送信工程と、
を備えることを特徴とする記録装置の制御方法。
【請求項１９】
接続された前記印刷装置において、記録媒体に記録可能なデータに関する属性情報と、前記記録媒体に与えられ該記録媒体を個体識別可能な識別子とが対応づけて管理されている場合に、
前記方法は更に、
記録媒体から第１の識別子を読み取る読取工程と、
前記第１の識別子と対応づけられて管理されている第１の属性情報の送信を、前記印刷装置に対して要求する送信要求工程と、
前記印刷装置より、前記要求に応じて前記第１の属性情報を受信した場合に、前記データ格納部に格納されたデータのうち、受信した前記第１の属性情報に対応するデータを取得する取得工程と、
取得された前記データを前記記録媒体に記録する記録工程と
を備えることを特徴とする請求項１８に記載の記録装置の制御方法。
【請求項２０】
コンピュータを請求項１乃至１６のいずれかに記載の装置として機能させるためのコンピュータプログラム。
【請求項２１】
請求項２０に記載のコンピュータプログラムを格納したコンピュータで読み取り可能な記憶媒体。
【発明の詳細な説明】
【技術分野】
【０００１】
本発明は、印刷装置、記録装置及びそれらの制御方法、コンピュータプログラム、記憶媒体に関する。
【背景技術】
【０００２】
ＣＤ−ＲやＤＶＤ−Ｒといった書き込み可能な記録媒体(以下、ディスク)にエンドユーザがデータを記録してオリジナルのディスクを作成することが一般に行われている。従来、これらオリジナルのディスクのラベルと言えば、手書により直接ディスクの表面にデータの内容を書き込んだものか、あるいはシールに内容を書き込んでディスクに貼り付けたものであった。近年では、ディスクの表面の印刷領域に印刷可能な印刷機が普及を見せており、エンドユーザでも比較的手軽に高品位なラベルを作成できるようになっている。
【０００３】
しかし、ディスクの内容と一致したラベルを印刷するにはユーザが適切にラベルを作成する必要があり、誤ったラベルが印刷されてしまうことを回避する手段は講じられていなかった。特に、特定の著作権保護機能の下では、誤ったラベルを印刷した場合でも別のディスクで作り直すことができないため、ユーザに負担を強いることになっていた。この著作権保護機能の例としては、ＣＰＲＭ（Ｃｏｎｔｅｎｔ Ｐｒｏｔｅｃｔｉｏｎ  ｆｏｒ  Ｒｅｃｏｒｄａｂｌｅ  Ｍｅｄｉａ）に代表される、個体識別可能なディスクを利用してディスクへのデータ記録に制限を設けるものがある。
【０００４】
これに対し、データの記録装置にラベルの印刷装置を一体化し、データ記録とラベル印刷を同時に行うことで上記のようなデータとラベルの不一致を回避する装置が提案されている（特許文献１を参照。）。また、書き込みデータとそれに対応したラベル用データと、さらには記録装置と印刷装置とをサーバで一元管理するディスク記録システムが提案されている（特許文献２を参照）。
【先行技術文献】
【特許文献】
【０００５】
【特許文献１】特開平１１−１０２５８３号公報
【特許文献２】特開２００５−３５０１１号公報
【発明の概要】
【発明が解決しようとする課題】
【０００６】
しかしながら、ディスクの記録装置の普及形態としてはＰＣやＤＶＤレコーダといった機器に搭載されているものが一般的である。一方、記録装置と印刷装置とを一体化させた装置をこれらの機器に搭載することは、サイズの制限や操作性の問題から実用化されるに至っていない。また同様の理由から、ディスク作成の専用機も一般に普及するには至っていない。
【０００７】
そこで、本発明は、記録装置と印刷装置とが分離した形態を維持しつつ、簡便にディスクの内容と一致したラベルを印刷可能とすることを目的とする。
【課題を解決するための手段】
【０００８】
上記課題を解決するための本発明は、記録媒体にデータの記録を行う記録装置と接続可能な印刷装置であって、前記記録装置と接続されている場合に、記録媒体に記録可能なデータに関する属性情報を該記録装置より取得する取得手段と、前記記録媒体の印刷可能領域に、前記属性情報を利用した印刷を行う印刷手段と、前記記録媒体から、該記録媒体を個体識別可能な識別子を読み取る読取手段と、前記属性情報と、前記識別子とを対応づけて管理する管理手段とを備える。
【０００９】
上記課題を解決するための本発明はまた、記録媒体の印刷可能領域に印刷を行う印刷装置と接続可能な、該記録媒体にデータの記録を行う記録装置であって、データを格納するデータ格納手段と、前記印刷装置が接続されている場合に、該印刷装置から記録媒体に記録するデータに関する属性情報の送信要求を受け付ける送信要求受付手段と、前記送信要求に応じて、前記データ格納手段内に格納された、前記記録媒体に記録可能なデータを探索する探索手段と、前記探索手段により探索された前記記録可能なデータに関する属性情報を、前記印刷装置に送信する送信手段とを備える。
【００１０】
また、接続された前記印刷装置において、記録媒体に記録可能なデータに関する属性情報と、前記記録媒体に与えられ該記録媒体を個体識別可能な識別子とが対応づけて管理されている場合に、前記記録装置は更に、記録媒体から第１の識別子を読み取る読取手段と、前記第１の識別子と対応づけられて管理されている第１の属性情報の送信を、前記印刷装置に対して要求する送信要求手段と、前記印刷装置より、前記要求に応じて前記第１の属性情報を受信した場合に、前記データ格納手段に格納されたデータのうち、受信した前記第１の属性情報に対応するデータを取得する取得手段と、取得された前記データを前記記録媒体に記録する記録手段とを備える。
【発明の効果】
【００１１】
本発明によれば、記録装置と印刷装置とが分離した形態を維持しつつ、簡便にディスクの内容と一致したラベルを印刷することができる。
【図面の簡単な説明】
【００１２】
【図１】本発明の実施形態に対応するラベル印刷処理システムの構成の一例を示す図である。
【図２】本発明の実施形態に対応するディスクの構造の一例を示す図である。
【図３】本発明の実施形態に対応する、ラベル印刷処理の一例を示すフローチャートである
【図４】本発明の実施形態に対応する、データ記録処理の一例を示すフローチャートである
【図５】本発明の実施形態に対応する属性情報テーブルの一例を示す図である。
【発明を実施するための形態】
【００１３】
以下、図面を参照して本発明の実施形態を詳細に説明する。
【００１４】
［第１の実施形態］
以下、図面を参照して本発明の実施形態を詳細に説明する。
【００１５】
図１は、本発明を実施するシステムの構成図である。
【００１６】
１００はディスク記録装置である。１０１はデータ格納部で、ディスクに記録するデータが格納されている。データ格納部１０１は例えば、ハードディスク等で構成される。なお、データには、該データに関する属性情報が併せて格納されている。ここで属性情報とは、データに関する情報であればどのような情報でも良い。属性情報には、データ名、データの種別（写真、文書、表データ）、データ生成日時、又は、拡張子が含まれる。また、データがディジタルカメラで撮像された画像データのような場合には、撮影日時、撮影モード、又は、シーン抽出画像などを属性情報とすることができる。これらの属性情報はいずれか一つを単独で使用することもできるし、複数を組み合わせて使用することもできる。以下の実施形態では、これらの属性情報のうち、簡単のためにデータ名のみを用いる場合について記載するが、他の属性情報及びそれらの組合せも同様に使用できる。
【００１７】
１０２は識別子読取部で、ディスク記録装置１００に装填されたディスクから、例えば光学的手段によりディスクに固有の識別子（ディスク識別子）を読み取る。１０３は記録可能データ検索部で、データ格納部１０１に格納されているデータからディスクに記録可能なデータを検索する。１０４は属性情報取得部で、装填されたディスクに記録すべきデータを特定するために必要な属性情報の取得を、ラベル印刷装置１１０に対して要求する。１０５は記録ヘッドで、ディスクへのデータ記録を行う。１０６は、ディスク装填部であり、記録・再生用のディスクが装填される。１０７は、ユーザインタフェースであり、ディスク記録装置１００のユーザからの指示入力を受け付ける。なお、ユーザインタフェース１０７には、所定の画面表示を行う表示部が含まれる。１０８は、ネットワークインタフェースである。
【００１８】
１１０は、ラベル印刷装置である。１１１は、識別子読取部で、ラベル印刷装置１１０に装填されたディスクから、例えば光学的手段によりディスク識別子を読み取る。１１２は、属性情報取得部で、ラベル印刷のために必要な属性情報の取得を、ディスク記録装置１００に対して要求する。１１３は、印刷履歴格納部で、ラベルを印刷したディスクのディスク識別子とラベル印刷に利用した属性情報とを関連付けて、属性情報テーブルとして格納し管理する。１１４は印刷ヘッドで、ディスクにラベル印刷を行う。
【００１９】
１１５は、ディスク装填部であり、記録・再生用のディスクが装填される。１１６は、ユーザインタフェースであり、ラベル印刷装置１１０のユーザからの指示入力を受け付ける。１１７は、ラベル生成部であり、ディスクのラベル印刷用のテンプレートデータを格納し、該テンプレートデータに基づいて印刷用のラベルデータを生成する。
【００２０】
１１８は、ネットワークインタフェースである。１１９は、ディスク記録装置１００とラベル印刷装置１１０を接続するネットワークである。ネットワーク１１９は、例えば、有線接続による、ローカルエリアネットワーク（ＬＡＮ）であっても良いし、ＵＳＢやＩＥＥＥ１３９４に従いケーブルで両装置が接続されても良い。また、赤外線通信、ＩＥＥＥ８０２．１１ａ、ｂ又はｇ、ブルトゥースなどの無線通信であってもよい。このように、本実施形態におけるラベル印刷処理システムは、ディスク記録装置１００とラベル印刷装置１１０とが接続されて構成される。
【００２１】
次に、本実施形態に対応するディスクの構成の一例を、図２を参照して説明する。図２において２００は、ディスク全体を示す。２０１は、ディスクにおける印刷可能領域であり、ラベル印刷装置１１０によってラベルを印刷することができる。２０２は、ディスクを個体毎に識別可能なディスク識別子である。ディスク識別子２０２として、本実施形態では文字列が記載されている。また、図２に示すディスク２００の裏面は、記録用データの記録が可能な領域（記録可能領域）となっている。
【００２２】
次に、図３のフローチャートを参照して、本実施形態に対応するラベル印刷処理の一例を説明する。まず、ラベル印刷装置１１０では、ステップＳ３０１において、ディスク装填部１１５にディスク２００が装填され、ユーザインタフェース１１６を介してユーザからラベル印刷指示を受け付けたか否かを監視している。ラベル印刷指示を受け付けた場合には（ステップＳ３０１において「ＹＥＳ」）、ステップＳ３０２に移行する。ステップＳ３０２では、属性情報取得部１１２が、ネットワークインタフェース１１８を介してディスク記録装置１００に対して属性情報の送信を要求する。
【００２３】
これに対しディスク記録装置１００では、ステップＳ３０３において、ラベル印刷装置１１０から属性情報の送信要求を受信したか否かを監視している。もし、送信要求を受信した場合には（ステップＳ３０３において「ＹＥＳ」）、ステップＳ３０４に移行する。ステップＳ３０４では、属性情報の送信要求に対し、記録可能データ検索部１０３が、記録媒体２００に記録可能なデータについてデータ格納部１０１内を探索する。この探索の結果、記録可能なデータがあった場合には（ステップＳ３０５において「ＹＥＳ」）、ステップＳ３０６に移行する。一方、記録可能なデータがなかった場合には（ステップＳ３０５において「ＮＯ」）、ステップＳ３０７に移行する。
【００２４】
ステップＳ３０６では、記録可能と判定されたデータの属性情報を記録可能データ検索部１０３がデータ格納部１０１から取得し、ネットワークインタフェース１０８を介して、ラベル印刷装置１１０に送信する。一方、ステップＳ３０７では、記録可能なデータが存在しなかった旨を示すデータ不存在通知を送信する。その後、処理を終了する。
【００２５】
ラベル印刷装置１１０では、ステップＳ３０８において、ディスク記録装置１００から送信される属性情報の受信を監視している。もし、属性情報を受信した場合には（ステップＳ３０８において「ＹＥＳ」）、ステップＳ３１０に移行する。属性情報を受信しない場合には（ステップＳ３０８において「ＮＯ」）、ステップＳ３０９に移行して、データ不存在通知を受信したか否かを判定する。もし、データ不存在通知を受信した場合には（ステップＳ３０９において「ＹＥＳ」）、処理を終了する。この際、所定のエラー表示を行っても良い。データ不存在通知を受信しない場合には（ステップＳ３０９において「ＮＯ」）、ステップＳ３０８に戻る。
【００２６】
ステップＳ３１０では、ラベル生成部１１７が、受信により取得された属性情報に基づいて印刷用のラベルを生成する。ラベルの生成は、ラベル生成部１１７に予め格納されたラベル印刷用のテンプレートデータに、属性情報に基づく文字情報を合成することにより作成することができる。続くステップＳ３１１では、生成されたラベルを印刷ヘッド１１４にてディスク２００の印刷可能領域２０１に印刷する。
【００２７】
更に、ステップＳ３１２では、識別子読取部１１１により、ラベル印刷を行ったディスク２００のディスク識別子２０２を読み取る。なお、ここでディスク識別子２０２が予めディスク２００に付与されていない場合や、読取不能な場合には、印刷ヘッド１１４を用いて、新たにディスク識別子２０２を印刷しても良い。その場合には、ディスク２００の印刷可能領域２０１、或いは、ディスク識別子２０２が付与されているディスク２００の内周領域に印刷を行うことができる。ステップＳ３１３では、ステップＳ３１２で読み取られたディスク識別子２０２と、ステップＳ３０８でディスク記録装置１００から受信した属性情報とを関連づけて、属性情報テーブルとして、印刷履歴格納部１１３に格納する。なお、印刷ヘッド１１４を用いてディスク識別子２０２を印刷した場合には、該印刷したディスク識別子２０２が属性情報テーブルに登録されることになる。
【００２８】
属性情報テーブルの例は、図５に示すようになる。ここで、５００は属性情報テーブル全体を示す。５０１にはディスク識別子２０２が登録される。また、５０２には、属性情報としてデータ名が登録される。図５では、属性情報としてデータ名のみを記載したが、テーブルに登録される属性情報の種類はデータ名のみに限定されない。ディスク記録装置１００から受信した属性情報の全てを登録しても良いし、受信した属性情報のうちラベル印刷に利用した属性情報のみを登録しても良い。
【００２９】
以上により、ラベル印刷装置１１０におけるラベル印刷処理が終了する。
【００３０】
次に、図４のフローチャートを参照して、本実施形態に対応する、ディスク２００へのデータ記録処理の一例を説明する。
【００３１】
図４において、ステップＳ４０１では、ユーザからユーザインタフェース１０７を介てた、ディスク装填部１０６に装填されたディスク２００へのデータ記録指示を受け付けたか否かを監視している。もし、当該指示を受け付けた場合には（ステップＳ４０１において「ＹＥＳ」）、ステップＳ４０２に移行する。ステップＳ４０２では、識別子読取部１０２が、ディスク２００よりディスク識別子２０２を読み取る。続いて、ステップＳ４０３において、属性情報取得部１０４が、得られたディスク識別子２０２に対応する属性情報の送信要求を、ラベル印刷装置１１０に対して行う。これは、ディスク装填部１０６に現在装填されているディスク２００のディスク識別子２０２と関連づけられた属性情報が、ラベル印刷装置１１０の印刷履歴格納部１１３に格納されている場合に、該属性情報の送信を要求するものである。
【００３２】
ラベル印刷装置１１０では、ステップＳ４０４において、ディスク記録装置１００からの属性情報の送信要求の受信を監視している。もし、該送信要求を受信した場合には（ステップＳ４０４において「ＹＥＳ」）、ステップＳ４０５に進む。ステップＳ４０５では、該送信要求に含まれるディスク識別子２０２に基づいて、印刷履歴格納部１１３内の属性情報テーブル５００を探索する。ここで、ディスク識別子２０２に対応する属性情報が属性情報テーブル５００に登録されている場合には（ステップＳ４０６において「ＹＥＳ」）、ステップＳ４０７に移行する。一方、そのような属性情報が属性情報テーブル５００に登録されていない場合には（ステップＳ４０６において「ＮＯ」）、ステップＳ４０８に移行する。
【００３３】
ステップＳ４０７では、属性情報テーブル５００に登録されていた属性情報をディスク記録装置１００に送信する。ステップＳ４０８では、そのような属性情報が登録されていない旨を示す属性情報不存在通知をディスク記録装置１００に対して送信する。
【００３４】
ディスク記録装置１００では、ステップＳ４０９において、ラベル印刷装置１１０からの属性情報の受信を監視している。もし、属性情報を受信した場合には（ステップＳ４０９において「ＹＥＳ」）、ステップＳ４１１に移行する。ステップＳ４１１では、受信した属性情報に対応する記録用のデータを、データ格納部１０１から取得して、ステップＳ４１３に移行する。
【００３５】
一方、属性情報を受信しない場合には（ステップＳ４０９において「ＮＯ」）、ステップＳ４１０に移行し、属性情報不存在通知を受信したか否かを判定する。属性情報不存在通知を受信しない場合には（ステップＳ４１０において「ＮＯ」）、ステップＳ４０９に戻る。属性情報不存在通知を受信した場合には（ステップＳ４１０において「ＹＥＳ」）、ステップＳ４１２に移行する。ここで、属性情報不存在通知を受信したということは、ディスク２００には記録すべきデータを制限するようなラベルが印刷されていないことを意味する。そこで、ステップＳ４１２では、データ格納部１０１に格納されているデータの一覧表をユーザーインタフェース１０７内の表示部に表示して、ディスク２００に記録すべきデータの選択を受け付ける。データの選択を受け付けた後は、ステップＳ４１３に移行する。
【００３６】
ステップＳ４１３では、ステップＳ４１１において取得されたデータ、或いは、ステップＳ４１２において選択されたデータを、ディスク２００の記録可能領域に記録して、処理を終了する。
【００３７】
なお、上記の実施形態では、図３のステップＳ３０４において記録可能データ検索部１０３が記録可能なデータを検索することとした。しかし、本発明はこのような実施形態に限定されるものではなく、これ以外の形態も可能である。
【００３８】
例えば、データ格納部１０１に格納されているデータの一覧をユーザーインタフェース１０７に表示し、ユーザから記録を行うデータの選択を受け付けるようにしても良い。
【００３９】
また、記録可能データ検索部１０３が記録可能なデータを検索を行う場合であっても、データ格納部１０１に格納されている複数の記録可能なデータのうち、所定の条件に合致したデータを選択するようにしてもよい。ここで、データの選択の条件としては、例えば、作成日時の順、データ名称の辞書順、データへのアクセス時刻順、などを利用することができる。但し、これらの条件に限定されるものではなく、その他の条件を用いた場合も本発明の範疇に含まれる。
【００４０】
また、図４のステップＳ４０１では、データ記録指示を受け付けたか否かに基づいてディスク２００への記録動作を開始している。しかしながら、該指示を受け付けたか否かによらず、ディスク装填部１０６へのディスク２００の装填を検知し、該ディスクが記録可能な場合（例えば、ブランクメディアの場合）に、ステップＳ４０２以降の処理を開始しても良い。これにより、ラベル印刷装置１１０において予め属性情報に基づくラベル印刷を行っている場合には、自動的に対応するデータの記録を行うことができる。その一方で、該ラベル印刷を行っていない場合には、ユーザが記録データを選択してデータの記録を行うことができる。
【００４１】
また、以上の実施形態においては、ディスク記録装置１００とラベル印刷装置１１０を構成する各構成要素が各装置内に存在する場合を説明した。しかしながら、各装置の構成はあくまで一例であって、これに限定されるものではない。例えば、ネットワーク上に分散した計算機や処理端末などに、装置の一部の構成要素が分散して配置されてもよい。
【００４２】
更に、以上の実施形態では、ディスクの識別子として文字列が記載されている場合を記載したが、これ以外にもバーコード、磁気テープ、無線タグ、ホログラフィなどを使用してもよいし、これらの組み合わせを使用してもよい。また、複数の識別子を組み合わせて使用する際に、各々の識別子が異なった識別情報を持つ場合でも、識別情報の間の対応関係を管理することで本発明は実施可能である。このような場合、ディスク記録装置１００又はラベル印刷装置１１０の識別子読取部１０２又は１１１は、バーコードリーダー、磁気ヘッド等対応する読取手段を備える。
【００４３】
また、以上の実施形態では、ディスク識別子はディスクの印刷面にデータ記録とは別個に付与されているものを前提としていた。しかし、ディスク識別子をディスクの記録面を利用して、記録データとは別にディスク記録装置１００において記録することも可能である。その場合には、ラベル印刷装置１１０は、ディスクの記録面の少なくともディスク記録装置がディスク識別子を記録した領域から、該ディスク識別子を読み取るための識別子読取部を備えることが好ましい。
【００４４】
更に、本発明を実施する際の記録装置の他の好適な例としては、ＤＶＤレコーダがある。この場合の記録媒体としては記録可能なＤＶＤを利用することができる。また、メタデータとして利用可能な記録データの属性情報には、ＥＰＧ(Electronic Program Guide)データの一部または全部を含めることができる。
【００４５】
上記の実施形態におけるデータ格納部１０１は、カムコーダとして実施することもできる。より正確には、撮影済みの磁気テープ等の記録メディアを装填し、これらメディアに保存されているデータを読出し可能な状態にあるカムコーダがデータ格納部として利用可能である。例えば、上記のＤＶＤレコーダと組み合わせて磁気テープからＤＶＤメディアへデータをコピーし、ＤＶＤメディアにラベルを印刷する場合を例に説明する。
【００４６】
まず、図３に対応するラベル印刷処理について説明する。ラベル印刷装置１１０からディスク記録装置１００であるＤＶＤレコーダに属性情報の送信要求がなされると（ステップＳ３０２）、該要求を受信したＤＶＤレコーダは（ステップＳ３０３）、ステップＳ３０４において該送信要求をカムコーダに転送する。カムコーダは装填されたテープに保存されているデータの属性情報を読み取ってＤＶＤレコーダに送信する。ＤＶＤレコーダは、受信した属性情報を更にラベル印刷装置１１０に送信する（ステップＳ３０６）。ラベル印刷装置１１０は受信した属性情報を利用して、記録媒体であるＤＶＤメディアにラベルを印刷し、併せて属性情報テーブル５００を作成する（ステップＳ３１０〜Ｓ３１２）。
【００４７】
次に、図４に対応するデータ記録処理について説明する。ラベルを印刷したＤＶＤメディアへのデータ記録がユーザから指示されると（ステップＳ４０１）、ＤＶＤレコーダは装填されたＤＶＤメディアからディスク識別子２０２を取得する（ステップＳ４０２）。ＤＶＤレコーダは、該ディスク識別子２０２に基づき、ラベル印刷装置１１０に属性情報の送信を要求する（ステップＳ４０３）。ラベル印刷装置１１０からはラベル印刷に利用した属性情報が送信され（ステップＳ４０７）、ＤＶＤレコーダが該属性情報を受信する（ステップＳ４０９）。そこでステップＳ４１１における処理では、受信した属性情報をカムコーダに転送し、カムコーダ側では対応するデータをＤＶＤレコーダに送信する。ステップＳ４１３ではカムコーダから送信されたデータによりＤＶＤメディアへのデータ記録を行うことができる。
【００４８】
以上のように、本実施形態によれば、記録媒体へのデータの記録に先だって予めラベル印刷を行う場合に、後に記録されるデータの属性情報に基づくラベルを生成し、印刷を行うことができる。また、ラベル印刷済みの記録媒体にデータを記録する際には、ディスク記録装置１００とラベル印刷装置１１０との間で通信を行い、印刷済みのラベルに対応するデータを、ユーザによる選択動作を介さずに自動的に特定することができる。従って、ラベル印刷装置１１０で印刷したラベルと、ディスク記録装置１００において記録されるデータとの間で整合を確実に取ることができ、ユーザがラベルとデータを一致させる手間が省かれ、ラベル印刷の利便性を改善することができる。
【００４９】
また、ラベルが印刷されていない場合には、任意のデータをユーザが選択して記録を行うことができるので、ラベル印刷を後に行う（或いは、行わない）場合であっても、記録媒体への記録動作が制限されることはない。
【００５０】
［その他の実施形態］
本発明の目的は前述した実施形態の機能を実現するソフトウエアのプログラムコードを記録した記録媒体を、システムあるいは装置に供給し、そのシステムあるいは装置のコンピュータ（またはＣＰＵまたはＭＰＵ）が記録媒体に格納されたプログラムコードを読み出し実行することによっても、達成されることは言うまでもない。この場合、記憶媒体から読み出されたプログラムコード自体が前述した実施形態の機能を実現することとなり、そのプログラムコードを記憶した記憶媒体は本発明を構成することになる。
【００５１】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００５２】
また、コンピュータが読み出したプログラムコードを実行することにより、前述した実施形態の機能が実現されるだけでなく、そのプログラムコードの指示に基づき、コンピュータ上で稼動しているOperating System（ＯＳ）などが実際の処理の一部または全部を行い、その処理によって前述した実施形態の機能が実現される場合も含まれることは言うまでもない。
【００５３】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図１】
2011096359.tif 000003
【図２】
2011096359.tif 000004
【図３】
2011096359.tif 000005
【図４】
2011096359.tif 000006
【図５】
2011096359.tif 000007